(57)【要約】      （修正有）【課題】人物、動物の写真輪郭を模った自分だけのオリジナルなフォトフレームを提供する。【解決手段】フォトフレームは、拡大、若しくは縮小した写真画像から人物や動物を、その画像輪郭に沿って切り抜いた外郭形状１を基準にしてデザインし、このデザイン結果を数値制御用にデータ化する。木材、アクリルを加工して作成した外枠２と、写真１を見える状態に保護するためのアクリル、ガラスからなる透明部材３と、写真１、透明部材３を押えるための裏板部材とを前記数値制御データにより加工し、裏板部材を外れないようにする止め具、立てて置くためのスタンド、壁に掛けるためのフックからなる。【選択図】図３
0003144268.tif 000002
【実用新案登録請求の範囲】
【請求項１】
撮影した人物、動物の写真画像の外郭形状に合わせて加工した木材またはアクリルを写真立ての表側となる外枠に使用し、該外枠の裏側から同じく前記外郭形状に合わせて外形を加工したアクリル、ガラスの透明部材と写真と裏板部材を収める、自立式もしくは壁掛け式のフォトフレーム。
【請求項２】
撮影した人物、動物の写真画像を等身大に拡大し、撮影人物、動物の外郭形状を模って作成した木材もしくはアクリルの外枠フレームに収まっていることを特徴とする請求項１記載のフォトフレーム。
【請求項３】
撮影した人物、動物の写真画像を任意の大きさに拡大、若しくは縮小し、該写真画像の中の人物、動物の外郭形状を模すアウトラインに合わせて、外枠、透明部材、裏板部材を加工してあることを特徴とする請求項１及び請求項２に記載のフォトフレーム。
【請求項４】
本体裏面に壁掛け用フック、自立用スタンドを両方配置したことを特徴とする、請求項１及び請求項２に記載のフォトフレーム。
【考案の詳細な説明】
【技術分野】
【０００１】
本考案は、フォトフレームの外枠形状を、拡大、若しくは縮小した写真内の人物、動物の外郭形状に合わせて作成したものに関する。
【背景技術】
【０００２】
フォトフレームとしては、各種用紙サイズに合わせたもの、装飾を施したもの等が提案されているが、撮影した人物、動物そのものの写真画像の外郭形状を模った形状のものは見当たらない。等身大の写真画像を用いたものは、例えば特許文献１が提案されている。
【特許文献１】実用新案登録第３１１６５１０号公報
【考案の開示】
【考案が解決しようとする課題】
【０００３】
従来のフォトフレームは背景の写っている写真をそのまま収めるものが一般的であり、背景、他の人物が一緒に写真内に入っているため一定の人物、動物だけを強調することが難しかった。上記特許文献１のものも、等身大の人物写真が掲載されている身長計に関するものであり、人物写真の外郭形状を強調するものではない。
【０００４】
本考案が前述の状況を鑑み、解決しようとするところは、人物、動物のみを写真から抜き取り加工し、その写真外郭形状を模った外枠を一品加工するフォトフレームであり、他には無い自分だけのいわゆるスタイルフレームを提供する事にある。
【課題を解決するための手段】
【０００５】
本考案は、前述の課題解決のため、第一に、撮影した人物、動物の写真画像の外郭形状に合わせて加工した木材またはアクリルを写真立ての表側となる外枠に使用し、該外枠の裏側から同じく前記外郭形状に合わせて外形を加工したアクリル、ガラスの透明部材と写真と裏板部材を収める、自立式もしくは壁掛け式タイプに構成したことを特徴とするフォトフレームとした。
【０００６】
第二に、撮影した人物、動物の写真画像を等身大に拡大し、撮影人物、動物の外郭形状を模って作成した木材もしくはアクリルの外枠フレームに収まっているフォトフレームとしたことを特徴とする。
第三に、撮影した人物、動物の写真画像を任意の大きさに拡大、若しくは縮小し、該写真画像の中の人物、動物の外郭形状を模すアウトラインに合わせて、外枠、透明部材、裏板部材を加工してあるフォトフレームであることを特徴とする。
第四に、本体裏面に壁掛け用フック、自立用スタンドを両方配置したことにより置き場所を選ばないフォトフレームであることを特徴とする。
【考案の効果】
【０００７】
撮影した人物、動物の外郭形状に合わせて作成するフォトフレームであり、自分だけのオリジナルな外枠フレームが得られる為、同じ形の無い、自分だけのスタイルフレームとして所有できる。撮影された時の身長に合わせて、人物、動物を等身大に拡大し、その等身大写真の画像輪郭に模ったフレームに収めることにより、撮影の後年に現在の身長と実際の目で見比べる事ができ、成長の喜びを味わう事ができる。また、亡くなったペットの写真を元に、その姿を模ったスタイルフレームとして残すことができる。縮小した場合も従来の写真から背景等を除くためコンパクトにできる。
そして、これらの輪郭写真画像は透明部材で覆って頑丈な外枠に収めて裏板部材で蓋をしてあるので、破損の恐れも少なくして長年月に亘って保存できる。
【考案を実施するための最良の形態】
【０００８】
以下、実施例に関する図面に基づいて本考案を詳細に説明する。
図面に示すように、本考案のフォトフレームは、拡大、若しくは縮小した写真画像から人物や動物を、その画像輪郭に沿って切り抜いた外郭形状１を基準にしてデザインし、このデザイン結果を数値制御用にデータ化することにより、木材、アクリルを加工して作成した外枠２と、写真１を見える状態に保護するためのアクリル、ガラスからなる透明部材３と、写真１、透明部材３を押えるための裏板部材４とを前記数値制御データにより加工し、裏板部材4を外れないようにする止め具５、立てて置くためのスタンド６、壁に掛けるためのフック７からなる。
【実施例】
【０００９】
上記形態にもとづき本考案の加工の詳細および使い方を説明する。
図面において、撮影した人物、動物の輪郭に沿わせた任意形状に合わせて切り取った外郭形状１を元にデータ化して、この数値データにより数値制御加工機で加工した写真立ての表側となる木材またはアクリルの外枠２を作成する。そして、該外枠２の裏面より、同じく前記外郭形状１を元にした数値データにより数値制御加工機で加工したアクリル、ガラス３の透明部材と、木材またはアクリルの裏板部材４を押え板用の蓋として外枠１に収めてはめ込む。その際外枠２の裏面に取り付けた止め具５を回すことで裏板部材４が外れることを防止できる。裏板部材４や外枠２には立てて置くためのスタンド６と壁掛け用のフック７を配置し自立式、壁掛け式の両方を楽しめるようにした。
【００１０】
写真の大きさは適宜に設定することができるが、撮影した人物、動物の写真画像を等身大に拡大し、撮影人物、動物の外郭形状を模って作成した木材もしくはアクリルの外枠フレーム２に収めるようにすると、実物大のフォトフレームが撮影した人物や動物の面影を漂わせる感じで記録として残される利点がある。
また、撮影した人物、動物の写真画像を任意の大きさに拡大、若しくは縮小し、該写真画像の中の人物、動物の外郭形状を模すアウトラインに合わせて、外枠、透明部材、裏板部材を加工すると、保有者が所望する任意大きさのフォトフレームが得られる利点がある。
そして、これらの加工は写真画像の輪郭に沿う外郭形状１を基準にして、数値データにより数値制御加工機で加工することができるので、外枠２の内縁と外縁加工、アクリル、ガラスの透明部材３の外形加工、木材またはアクリルの裏板部材の外形加工が同一形状で効率的に加工できる利点がある。
さらに、写真画像の輪郭に沿う外郭形状１を基準にして、適宜にデザイン性を考慮した形状のものにして数値加工制御できるので、デザイン性に優れた外枠２を加工できてオリジナルなスタイルフレームが得られる利点がある。
【産業上の利用可能性】
【００１１】
本考案実施形態の説明では、フォトフレームを構成する各部材の材質に木材を使用したが、材質は木材に限るものではなく、樹脂や金属、石材など任意に選択できる。また、写真も人物、動物でなくてもよく、建物、車、建造物、生活用品などでもよい。またフックを取り付けた壁掛け式、スタンドの自立式以外にも、直接、壁に貼り付けるタイプ、ガラス等に貼り付けるタイプであってもよいし、写真を切り取って入れるのではなく、アクリル、ガラスに直接印刷したものをはめ込んでもよい。
【図面の簡単な説明】
【００１２】
【図１】フォトフレームの表面図。
【図２】フォトフレームの裏面図。
【図３】フォトフレームの表面外観図。
【図４】フォトフレームの裏面外観図。
【図５】フォトフレームの部品分解図。
【符号の説明】
【００１３】
１ 人物、若しくは動物の輪郭写真
２ 外枠   
３ 透明部材
４ 裏板部材
５ 止め具
６ スタンド
７  壁掛用フック
【図１】
0003144268.tif 000003
【図２】
0003144268.tif 000004
【図３】
0003144268.tif 000005
【図４】
0003144268.tif 000006
【図５】
0003144268.tif 000007